Podtech/llm-jp-corpus-v4-ja_patent huggingface dataset:
(57)【要約】【課題】正座に伴う足のしびれを軽減する尻乗せ台で、コンパクトで携帯可能な構造のものを提供する。【解決手段】脚差込口６を有する座板１、座板１と基台３を連結する脚２、開口７を有する基台３、芯棒（イ）４及び芯棒（ロ）５からなる正座用尻乗せ台であって、脚差込口６に挿入されている脚２を座板１から引抜いて分離し、脚２を基台３の開口７に折たたみ収納することによって、コンパクトな大きさでの携帯を可能とする正座用尻乗せ台。【選択図】図１
2008068050.tif 000002
【特許請求の範囲】
【請求項１】
脚差込口６を有する座板１、座板１と基台３を連結する脚２、開口７を有する基台３、芯棒（イ）４及び芯棒（ロ）５からなる正座用尻乗せ台であって、脚差込口６に挿入されている脚２を座板１から引抜いて分離し、脚２を基台３の開口７に折たたみ収納することによって、コンパクトな大きさでの携帯を可能とした正座用尻乗せ台。
【発明の詳細な説明】
【技術分野】
【０００１】この発明は正座時の足のしびれ軽減を目的とした尻乗せ台に関するものである。
【背景技術】
【０００２】正座時の足のしびれ軽減を目的とした、腰掛式の座椅子や携帯可能な折りたたみ式の座椅子などが考案されている。
【発明の開示】
【発明が解決しようとする課題】
【０００３】正座に伴う足のしびれ軽減を目的とする尻乗せ台で、コンパクトで携帯可能な構造のものを提供する。
【課題を解決するための手段】
【０００４】脚差込口６を有する座板１、脚２、基台３、芯棒（イ）４、芯棒（ロ）５、開口部７により構成される正座用尻乗せ台。
【発明の効果】
【０００５】正座時に、両足の間に置いてその上に尻を乗せて使用するものであるが、足に加わる体重負荷が大幅に減るため、足のしびれ軽減に効果がある。また、構造が簡単で、脚を折りたたみ収納することにより、コンパクトな大きさにして携帯することができるため実用的である。
【発明を実施するための最良の形態】
【０００６】（イ）座板１、脚２、基台３、芯棒（イ）４、芯棒（ロ）５、脚差込口６、開口部７からなる構造体である。
（ロ）脚２の一方の端と座板１には、両者を簡単に連結するための凸状および開口が成形されており、例えば［図６］に示す形状として、工具なしで連結及び分離が可能な構造とする。
（ハ）脚２は開口７に一方の端部を挿入して芯棒（イ）４にて基台３と連結する。脚２は芯棒（イ）４を軸として前方又は後方に傾斜できる構造とする。これにより、尻と座板１の密着性を向上させ安定姿勢を確保するとともに、体の前傾又は後方傾斜に伴う偏重荷重による本体の損壊防止を図る。
（ニ）脚２は芯棒（イ）４を軸として前方又は後方に傾斜できる構造であるが、前方への倒れ過ぎによる使用上の不都合を回避するため、芯棒（ロ）５を設けてこれを防止する。
（ホ）基台３の底面は曲面形状又はこれに準じる形状とし、体の左方又は右方傾斜に伴う偏重荷重による本体の損壊防止を図る。また基台３には脚２を折りたたみ収納可能な開口７を設ける。
（ヘ）芯棒（イ）４は基台３と脚２を連結した状態で固定し、芯棒（ロ）５は脚２を折りたたみ収納する際に容易に引抜くことができる脱着式とする。
【図面の簡単な説明】
【０００７】
【図１】本発明の本体斜視図
【図２】本発明の本体平面図
【図３】本発明の本体Ａ−Ａ断面図
【図４】本発明の本体Ｂ−Ｂ断面図
【図５】本発明の座板１、脚２、脚差込口６の斜視図
【図６】本発明の分解収納手順図
【図７】本発明の分解収納姿斜視図
【図８】本発明の実施例後面姿図
【図９】本発明の実施例側面姿図
【符号の説明】
【０００８】１．座板
２．脚
３．基台
４．芯棒（イ）
５．芯棒（ロ）
６．脚差込口
７．開口
８．４芯棒（イ）用穴
【図１】
2008068050.tif 000003
【図２】
2008068050.tif 000004
【図３】
2008068050.tif 000005
【図４】
2008068050.tif 000006
【図５】
2008068050.tif 000007
【図６】
2008068050.tif 000008
【図７】
2008068050.tif 000009
【図８】
2008068050.tif 000010
【図９】
2008068050.tif 000011
(57)【要約】      （修正有）【課題】  練習しても上達できないで困っているアマチュア・ゴルファーが大多数なので、個々の特性に合わせて、着実に上達できるゴルフ練習器具を提供する。【解決手段】  メガネ・フレーム（１）の双方の瞳の中心が位置する箇所に、それぞれの左右の視界を仕切るための視界分離板（２）を取り付けることで、スウィング中の正視感覚が狂わないようにし、両半身それぞれの動作がスムーズにはたらいて体軸がブレないようにした。【選択図】図１
2008068041.tif 000002
【特許請求の範囲】
【請求項１】
メガネ・フレーム（１）の、瞳の中心が位置する箇所に、左右の視界を仕切るための視界分離板（２）を装着したメガネ。
【発明の詳細な説明】
【技術分野】
【０００１】この発明は、メガネ・フレームの、双方の瞳の中心が位置する箇所に、左右の視界を仕切るための、視界分離板を装着した、ゴルフ練習用メガネに関するものである。
【背景技術】
【０００２】  この分野の従来品は、スウィングという行為を行うためにクラブを模したものか、あるいはその行為に際して、悪い動きを拘束できるように考案されたものが大半だ。しかしゴルフ・スウィングで最も大切なのは、スウィング軸を安定させるための根本であるところの（視覚）である。
とどのつまりゴルフ・スウィングの難しさとは、クラブをスウィングする事の反動によって絶対的な正視感覚を狂わされてしまう事であり、逆に正視感覚さえ寸分も狂わなければ、ゴルフ・スウィングは安定するようにできているのである。
しかしながら従来品の性能は、上記の条件を向上させるようにはできていない。したがって、多くのゴルファーが自分自身の最良なスウィングを身に付けることができずにいたのである。
【発明の開示】
【発明が解決しようとする課題】
【０００３】  我々の頭脳は、左右それぞれの眼の、右側から入ってきた視覚情報を左脳で捕らえ、左側から入ってきたものを右脳で捕らえている。そして左脳は右半身の動きを管理し、右脳は左半身の動きを管理しているわけだが、この性質を利用して左右それぞれの視界を分離し、自分の視界の中で分離体が極力動かないように、つまり正視感覚を損なわないようにゴルフ・スウィングを行うと、左右それぞれの半身の動きがスムーズになって、無理な力は入れられなくなる。体の中心に位置するべきスウィング軸が整うからだ。
従って本発明は、左右の眼の、それぞれの瞳の中心部分で、それぞれの視界を左右に仕切るための視界分離体を設けた、ゴルフ練習器具の開発を課題として研究を進めた。
【課題を解決するための手段】
【０００４】  先ず視界分離体が両眼のそれぞれの視界を左右に分離するためには、それが左右の瞳の中央に位置し、顔部の縦の線に合わせて設置できるようにしなければならない。また、その視界分離体は可能な限り目に近い位置に設置される事が好ましいし、その位置が簡単にはズレることがないようなしっかりした構造が求められる。
その他、実際にクラブを持ってスウィングできること、ボールを打つことが可能である性能等を研究の結果、課題を満たすための最良の構造とは、安定装着できるメガネ・フレーム（１）の、双方の瞳の中心が位置する箇所それぞれに、左右の視界を仕切るための視界分離板（２）を装着したものが最善であることが判った。
【発明の効果】
【０００５】  本発明はこのような構造であるから、これを使用する事によって、左右の眼の、それぞれの瞳の中央部分で、それぞれの視界を左右に仕切ることができ、これによりスウィング中のボールの見方が劇的に改善される。さらに視界分離板の活躍によってスウィング・センターが不動のまま、左右それぞれの半身がバランス良く動作するようになるのである。
この条件を第一とした練習を行うと理解できるのは、個々の身体の特徴や構えの取り方によって、バックスウィングの軌道は必ずしも全くの基本通りが個人の最善ではないということである。しかし正視感覚を損なうことなくダウンスウィングを迎えたのなら、そのスウィングは教科書通りの軌道を辿りやすく、したがってミス・ショットの確率は激減する。よって本発明の使用者には、十分なゴルフの技術的な効果が提供できるのである。またショートゲーム時の使用に際しても、効果が確認できている。
【発明を実施するための最良の形態】
【０００６】  安全性を考慮しなければならないので、視界分離板（２）には割れることのない素材が好ましい。また瞳の中央位置はそれぞれに異なるので、メガネ・フレーム（１）のリムの上下に当たる部分には、平行に構成される箇所をつくり、分離板の位置調整を可能にしたい。また携帯性を考慮すると、視界分離板は、折りたたみ式のものや脱着式のものが好ましく、さらに眼鏡使用者のためにレンズの上から視界分離板のみを装着する仕組み等、現在はそういった多様性について各種研究を行っている。
【実施例】
【０００７】  以下は本発明の実施の形態である。先ずは使用していないメガネからレンズを取り外して、本発明に使用するメガネ・フレーム（１）を用意した。
次にこのメガネ・フレームのリム部の、縦渡りの内径・外径を測り、外径に合わせてカットした同形の薄いプラスチック版を二枚作り、このそれぞれにリムの内径に合わせた切れ目を二箇所ずつ入れて、それぞれを表裏に折り曲げてから、コテで熱して形状を安定させた。
さらに折り曲げた部分の内側を、目に当たらないように切り取って、二枚の視界分離板（２）を作り、これを自分の瞳の中央・縦に位置するようにメガネ・フレームに接着して本発明が完成した。
【産業上の利用可能性】
【０００８】  本発明は以上のような構成であるから、比較的に簡易な技術で製作することが可能である。材料も少量なので設備やコストの負担が少なくて済む。
また使用者は、視覚という最も根本的な部分から自分のゴルフ・スウィングを構築できるようになるために、すぐに効果が現れ、このポジティブな印象によってゴルフに係わる産業の活性化、及びメガネ・フレームの製作を専門とする分野の活性が期待できる。
【図面の簡単な説明】
【０００９】
【図１】「本発明の斜視図である。」
【符号の説明】
【００１０】（１）はメガネ・フレーム。
（２）は視界分離板。
【図１】
2008068041.tif 000003
(57)【要約】      （修正有）【課題】洗濯ネットの普遍的な役割の向上を手軽で効果的にできる斬新な洗濯ネットを提供する。【解決手段】括れ付き洗濯ネットは、柔軟で極小な網目構造の洗濯ネット１の中央付近に、周回するゴム紐通し部２を設け、そこに任意の長さのゴム紐３を装着して、弾力性のある括れ部４を設けた構造の洗濯ネット１とする。【選択図】図１
2008068043.tif 000002
【特許請求の範囲】
【請求項１】
柔軟で極小な網目構造の洗濯ネットの中央付近に、周回するゴム紐通し部を設け、そこに任意の長さのゴム紐を装着して、弾力性のある括れ部を設けたことを特徴とする括れ付き洗濯ネット。
【請求項２】
周回するゴム紐通し部を、ネット自体をつまみ縫いで設けた請求項１記載の括れ付き洗濯ネット。
【請求項３】
周回するゴム紐通し部を洗濯ネットの内部に設けた請求項１記載の括れ付き洗濯ネット。
【発明の詳細な説明】
【技術分野】
【０００１】  本発明は、衣類を洗濯する際に、現状の形に近い状態で優しく、綺麗に洗濯できるようにする括れ付き洗濯ネットに関するものである。
【背景技術】
【０００２】  洗濯ネットの普遍的な事柄は、衣類を優しく、綺麗に洗濯するための補助的な役割を果たすことである。よって、多くの発明がなされている。
その中でも本発明に近い考え方のものとして（実用新案公開平５−８０４８８）がある。しかし、この考案は本発明の括れ付き洗濯ネットとは構造・効果等において大きな差違がある。
【発明の開示】
【発明が解決しようとする課題】
【０００３】  本発明は、上記の洗濯ネットの普遍的な役割の向上を手軽で効果的にできる斬新な洗濯ネットを提供することを目的に考え出されたものである。
【課題を解決するための手段】
【０００４】  上記の課題を達成するために、本発明の括れ付き洗濯ネットは、柔軟で極小な網目構造の洗濯ネット１の中央付近に、周回するゴム紐通し部２を設け、そこに任意の長さのゴム紐３を装着して、弾力性のある括れ部４を設けた構造の洗濯ネットとする。このことにより課題を達成するものである。
【発明の効果】
【０００５】  本発明は、上記で説明したように構成されたもので、次に記載されるような効果を発揮する。【０００６】  第一には、洗濯ネットのチャック５を開いてワイシャツ等の衣類を縦長に入れる。その際、弾力性のある括れ部４は大きく延びるので挿入が簡単にできる。【０００７】  第二には、縦長に入れられた衣類は括れ部４があるため前後に動かないのでネットの片隅に丸まることがなく、ネット全体の中で綺麗に洗えると同時に皺になりにくい。【０００８】  第三には、括れ部４が弾力性のため水流に抵抗することが少ないので洗濯ネット１が自在に動くことができる。。【０００９】  第四には、水流がネットの中を自由に流れるので衣類が綺麗に洗える。また、脱水の際も衣類が片寄らないためスムーズな脱水が可能となる。【００１０】  第五には、洗濯ネットの外部に附属の紐等が一切ないので、他の衣類に絡まったりしない。
【発明を実施するための最良の形態】
【００１１】    発明の実施の形態を図面に基づいて説明する。第一には、第１図から分かるように、洗濯ネット１に弾力性のある括れ部４を設けたことを特徴としている。このような洗濯ネットは、今までにない斬新なものである。【００１２】  第二には、ゴム紐通し部２はネット自体をつまみ縫いすることでも設けることが可能で、このように製作すれば材料費がかからない上、手間もかからない。【００１３】  第三には、従来の洗濯ネットを一部、加工するのみで斬新な括れ付き洗濯ネットが創出できる。【００１４】  第四には、ゴム紐通し部をネットの内部に設けたもの。
【図面の簡単な説明】
【００１５】
【図１】平面図
【符号の説明】
【００１６】    １  洗濯ネット
２  ゴム紐通し部
３  ゴム紐
４  括れ部
５  チャック
【図１】
2008068043.tif 000003
(57)【要約】      （修正有）【課題】傘の、骨を比較的軽量な部材にすることを可能にし、ろくろ部、骨の支持部を必要としない、より単純な構造の傘を提供する。【解決手段】傘の骨１を弾性部材とし、これをパイプ状の柄２に通したナイロン等の糸５、６を接着し、引き輪３にもう一端を接着する。この引き輪３を引くと、糸５，６が連動して、骨１が湾曲し傘を開く。弾性部材に金属を用いないことにより、従来の傘より軽量化が可能であり、ろくろ部、骨の支持部を必要としないため、構造も単純化できる。【選択図】図１ａ
2008068054.tif 000002
【特許請求の範囲】
【請求項１】
弾性部材の棒状の骨を、骨に付着させた紐等の部材で牽引し、湾曲させて傘を開くことを特徴とする傘
【発明の詳細な説明】
【技術分野】
【０００１】  この発明は、傘の構造、開閉方法に関する。
【背景技術】
【０００２】  従来の傘の開閉方法は、ろくろ部、骨の支持部等の、硬性部材の骨の組み合わせによる押し開きによるものである。
【発明の開示】
【発明が解決しようとする課題】
【０００３】しかしながら、以上の技術によれば、骨の加工・組み立てにおいて、製造工数の削減が困難である。また、骨が金属部材である場合、その軽量化にも限界がある。
そこで、この発明は、骨を比較的軽量な部材にすることを可能にし、より単純な構造の傘を提供することを課題とする。
【課題を解決するための手段】
【０００４】  以上の課題を解決するために、本発明は、弾性部材の棒状の骨を、骨に付着させた紐等の部材で牽引し、湾曲させて傘を開くことを特徴とする傘である。
【発明の効果】
【０００５】  本発明によれば、各骨を一本の弾性部材とすることにより、従来の傘の構成要素であったろくろ部、骨の支持部等を必要とせず、部材の加工・組み立てを単純化している。また、軽量な弾性部材を使用することにより、重量の軽量化も可能である。
【発明を実施するための最良の形態】
【０００６】  この発明の一実施形態を、図１ａ・ｂに示す。
図１ａに示す傘の骨１は弾性部材であり、これをパイプ状の柄２に接着し一体化する。ナイロン等の糸５を輪４に通し、その両端を骨に二点で接着する。糸５の一点に、糸６の一端を接着し、柄２に貫通させた穴７に通し、柄２の下部より取り出し、引き輪３にもう一端を接着する。この引き輪３を引くと、糸５，６が連動して、図２ｂに示すように、骨１が湾曲し傘を開く。留め具８は糸の引き過ぎを防止する。留め具９は傘を開いたときに、切り込み１１に掛けて、開いた状態を維持する。留め具１０は傘を閉じたときに、切り込み１１に掛けて引き輪３を固定する。【０００７】「実施形態の効果」
この実施形態によれば、従来の傘の構成要素であったろくろ部、骨の支持部等を必要としないので、部材の加工、組み立ての工数は数段に削減できる。また、従来の洋傘が採用していた金属部材を必ずしも必要としないため、傘の軽量化が実現可能である。金属部材とビニール等の部材の混合製品でなければ、資源のリサイクル上、処理が容易となる。また、本発明によって、自動車の乗り降り等の際、狭いスペースから先端だけ出して開くことが可能で、閉じた際は、濡れた部分が内側になるので持ち運びにおいて、衣服をぬらすことが少ないといった傘の実施を容易にするものである。
【図面の簡単な説明】
【０００８】
【図１ａ】この発明の一実施形態を示す立面図であり、傘を閉じた場合の、柄の部分と、それに付着する骨の一本の状態である。
【図１ｂ】この発明の一実施形態を示す立面図であり、傘を開いた場合の、柄の部分と、それに付着する骨の一本の状態である。
【符号の説明】
【０００９】  １  骨
２  柄
３  引き輪
４  輪
５  ナイロン等の糸
６  ナイロン等の糸
７  ６のナイロン等の糸を通す穴
８  留め具
９  留め具
１０  留め具
１１  切り込み
【図１ａ】
2008068054.tif 000003
【図１ｂ】
2008068054.tif 000004
(57)【要約】      （修正有）【課題】本発明は、転倒予防、外反母趾予防の効果に有効と数多く報告されている足指把持筋力をより効果的に訓練するための足指把持筋力訓練器を提供する。【解決手段】基台１と、該基台上面に設けられた足指で把持すること、及び把持部に足指を置いたときに、足の土踏まずの位置に当たるように設けられた弾性を有する踏まず支え３を有することにより足指の把持運動を行うことができる把持部２とより構成される足指把持筋力訓練器。【選択図】図１
2008068052.tif 000002
【特許請求の範囲】
【請求項１】
基台と、該基台上面に設けられた足指で把持することで足指の把持運動を行うことができる把持部とより構成される足指把持筋力訓練器。
【請求項２】
把持部に足指を置いたときに、足の土踏まずの位置に当たるように設けられた弾性を有する踏まず支えを有することを特徴とする請求項１記載の足の指の把持運動を行うことを特徴とする足指把持筋力訓練器
【発明の詳細な説明】
【技術分野】
【０００１】  本発明は、転倒予防、外反母趾予防の効果に有効と数多く報告されている足指把持筋力をより効果的に訓練するための足指把持筋力訓練器に関するものである。
【背景技術】
【０００２】  従来、足指の把持筋力を訓練する方法は、タオルや新聞をたぐり寄せたりちぎったりする方法しかなかった。その後足指を用いてローラーを回転させる足指運動訓練機器の発明がしられている（特許文献１）。
【特許文献１】特開２０００−２１０３９３
【発明の開示】
【発明が解決しようとする課題】
【０００３】  そのために、次のような問題点があった。
（イ）ローラーを回転（回動）させる運動のため、足指の屈伸運動は行えるが把持させる      運動までは行うことができない。
（ロ）ローラーの素材が硬いのと、円状の構造のため、足指が接地する面積が限られるた      め、感覚の入力が入りずらく力も入りにくい。
（ハ）土踏まず（足底アーチ部）の靭帯の強化も目的だが、実際に筋力が低下している人      が使うと踏まず支えがないために足指に力が入りづらく、筋力、靭帯の強化がしが      たい。
本発明は以上の問題点を解決しようとするものである。
【課題を解決するための手段】
【０００４】  基台と、該基台上面に設けられた足指で把持することで足指の把持運動を行うことができる把持部とより構成される足指把持筋力訓練器。
【発明の効果】
【０００５】  足指把持筋力は、立位・歩行時の姿勢の安定性に関与していることが最近多く報告されている。高齢者に対しては転倒予防に大きく関与している。また足指把持筋力が向上することにより、土踏まず部分のアーチが鍛えられ外反母趾の予防、改善の効果も認められている。
したがって老若男女すべて足指把持筋力を鍛えることが必要になってくる。
本発明は足指の運動部分に弾性ゴムをのせ、足指の接地部分を広くかつ把持しやすく力が入れやすく運動ができるようになっている。
また、踏まず支え部分が足指の運動をしやすくするので高齢者等の筋力が低下している人でも行いやすくなっている。
【発明を実施するための最良の形態】
【０００６】以下、本発明の実施の形態を説明する。
基台（１）の上に足部の土踏まずを支える踏まず支え（３）と足指の把持、屈伸運動を行うための把持部（２）をそれぞれ一組設ける。
基台（１）は方形状の板で、両足を載せることができる面積を有する。
把持部（２）は弾性体で、足指５本でつかんで把持運動ができる面積、厚みを有している。材質はポリエチレン系樹脂、ウレタン系樹脂、ポリウレタン系樹脂等が望ましい。
踏まず支え（３）は土踏まずが位置する場所に配置する。形状は土踏まずに適合するようアーチ状になっている。また、足を置いたときに、各自の足に適合するよう把持部と同様の材質でできていて変形する。
本発明は、以上の構成よりなっている。
本発明を使用するときには足底部の土踏まずの部分を踏まず支え（３）のアーチ部分にあわせる。そうすると足指が把持部（２）に載せられる。
足指を載せた後、足指が把持部（２）を把持するように力をいれて屈伸させる。これを繰り返すことにより足指把持筋力を向上させることができる。
行う姿勢は立位でも座位でも構わない。立位バランスが不安定な高齢者などは座位で行うことができる。【０００７】  以下本発明の第２の実施の形態について説明する。
前期実施の形態と主に異なる点は、踏まず支え（３）、把持部（２）が１つずつ設けられており、基台（１）も片足のみ載せることができる面積であるという点である。
使用方法は前記実施の形態と同様である。
【図面の簡単な説明】
【０００８】
【図１】本発明の斜視図
【図２】本発明の使用状態を示す平面図
【図３】本発明の第２の実施の形態の斜視図
【符号の説明】
【０００９】      １  基台
２  把持部
３  踏まず支え
【図１】
2008068052.tif 000003
【図２】
2008068052.tif 000004
【図３】
2008068052.tif 000005
(57)【要約】【課題】哺乳瓶による人工ミルク哺乳育による欠点（栄養補給が主眼で、母乳哺乳の持つ乳児への精神的心理的効果を持てない）を是正し、しかも授乳行為を男性にも容易にすることで  母乳哺乳のもつ理想に少しでも近づけようとしたもの。【解決手段】本物の乳房に出来るだけ近くつくられた形と感触を持つ疑似乳房型本体１に、哺乳口に当たる乳首２と乳汁容器６を装置して、母乳を哺乳しているときの乳児の、精神的な充足を得られるようにした哺乳装置である。【選択図】図１
2008068051.tif 000002
【特許請求の範囲】
【請求項１】
本物の女性の乳房と同じ形と感触を持つ様に造られた女性の乳房型につくられた袋状の容器に、哺乳瓶の乳首が設けられていて、全体は婦人下着のブラジャーのように着装できる乳房型哺乳装置
【請求項２】
哺乳乳首と乳汁容器が一体形成され乳房型本体にはめこめるカートリッジ型哺乳容器
【発明の詳細な説明】
【技術分野】
【０００１】      本発明は、人工ミルク授乳の持つ欠点を母乳授乳に近づけるために、哺乳瓶を乳房      に近い形と感触の材質で創り、しかも胸部に装着できるように工夫されたものであ      る。
【背景技術】
【０００２】      従来の哺乳瓶が単に栄養としての乳汁を与えることだけを主眼して案出されてきた      ものであって、吸い口（乳首）部分以外深い考慮がなされていない。【０００３】
【特許文献】      該当なし
【発明の開示】
【発明が解決しようとする課題】
【０００４】  従来の哺乳瓶は、栄養としての乳汁を与えることだけを主眼としてしかも与える側の都合だけをかんがえているといえる。動物に餌をやるのとあまり変わらない。
つまり母乳授乳行為がもたらす乳幼児への精神的、心理的な効能がどれほどのものかが考えられていないといえる。すなわち  乳幼児が母乳を哺乳しているときには  栄養として母乳をのむ以上に、精神的な充足：安心、安定、信頼、憩い、安らぎ、満足などを感受しているのである。母乳を飲んでいる乳児を観察すると暖かい、柔らかいふくよかな乳房に口唇、頬をよせてときに空いた手でもう一方の乳房をまさぐったりしている。そして背後から母親の手でしっかりと抱きしめられている。これが母乳保育なのである。
【課題を解決するための手段】
【０００５】形や感触を限りなく本物の乳房に似せて創られた乳房型の哺乳装置を考案した。これはまた女性のブラジャーのように装着できるように考案されていて、素肌に装着することで文字通り人肌の温度に保てるし、母乳哺乳のように空いた両手で乳児を抱きしめられる。
【発明の効果】
【０００６】  人工ミルクによる哺乳授乳はミルクという栄養の補給を主眼にしたものだから、母乳哺乳に比して多くの欠点を持つ。寝かされた乳児にとって哺乳瓶からの授乳は乳首こそ工夫されてはいてもただミルクの補給行為以外のなにものでもない。それに対し母乳哺乳では、乳児は暖かでやわらかでふくよかな乳房を口唇、指先、頬で感触しながら美味な母乳という栄養をとりしかも母親の空いた両手がしっかりと自分を抱き留めてくれているという、精神的にも肉体的にも最高に理想的な状態に置かれるわけである。
少しでも育児にかかわったことのある男性なら泣き続ける乳児を前に哺乳瓶片手におろおろしていた経験と、乳房があったならという痛切な嘆きと願いとを思い出すはずである。
本発明はこれらを解決するし男性の育児参加を容易にするだろう。
【実施例１】
【０００７】  外形と感触を極力本物の乳房ににせて創られた発明本体１  の前面には哺乳口になる乳  首２、本体背面には  乳汁の補給口３を設定する。本体背面は授乳者の胸部に密着装着  できるように平坦にしてある。授乳者は上部装着紐４  と下部装着紐５  とにより自身  の胸部に装着固定する。
【図面の簡単な説明】
【０００８】
【図１】  本発明の前面からの斜視図である。
【図２】  本発明の断面図である。
【図３】  本発明の背面からの平面図である。
【符号の説明】
【０００９】  １  発明本体
２  乳首
３  乳汁補給口
４  上部装着紐
５  下部装着紐
６  乳汁容器部分
【図１】
2008068051.tif 000003
【図２】
2008068051.tif 000004
【図３】
2008068051.tif 000005
(57)【要約】【課題】自転車駐輪場では、ほとんどの利用者が自転車を乱雑に駐車させてその場から離れてしまうため、止むなく人件費を費やして自転車整理員を配置に付けているのが現在の実状である。その結果、自転車整理員が並べる自転車はどうしても間隔が狭くて窮屈なため、特に自転車を取り出すときに隣の自転車と接触して損傷するケースが多発していた。【解決手段】本発明は、自転車の前輪１を進入させる段差２、及びその進入した前輪を停止させるタイヤ止め３、並びに割り込み駐車を阻止するサイドバー４、この三つをコンクリート等の床面５に構築することによって、自転車を定位置に駐車させることができる自転車駐輪場である。【選択図】図１
2008068850.tif 000002
【特許請求の範囲】
【請求項１】
自転車の前輪を進入させる段差、及びその進入した前輪を停止させるタイヤ止め、並びに割り込み駐車を阻止するサイドバー、この三つをコンクリート等の床面に構築することによって、自転車を定位置に駐車させることができる自転車駐輪場。
【発明の詳細な説明】
【技術分野】
【０００１】  本発明は、自転車駐輪場の駐車装置に関するものである。
【背景技術】
【０００２】  従来の自転車駐輪場は、乱雑に駐車された自転車を自転車整理員が一台ずつ詰めて並べる作業をしていた。
【発明の開示】
【発明が解決しようとする課題】
【０００３】  自転車駐輪場では、ほとんどの利用者が自転車を乱雑に駐車させてその場から離れてしまうため、止むなく人件費を費やして自転車整理員を配置に付けているのが現在の実状である。その結果、自転車整理員が並べる自転車はどうしても間隔が狭くて窮屈なため、特に自転車を取り出すときに隣の自転車と接触して損傷するケースが多発していた。
【課題を解決するための手段】
【０００４】  自転車の前輪を進入させる段差、及びその進入した前輪を停止させるタイヤ止め、並びに割り込み駐車を阻止するサイドバー、この三つをコンクリート等の床面に構築することによって、自転車を定位置に駐車させることができる自転車駐輪場である。
【発明の効果】
【０００５】  自転車整理員の世話にならなくても、段差とタイヤ止めとの間のエリア内に自転車の前輪を停止させるだけの簡単さで、自転車本体が定位置に駐車することができる自転車駐輪場ある。しかも、サイドバーの設置によって、割り込み駐車を阻止するようにしただけでなく、スムーズに自転車の出し入れができる効果もあって、隣の自転車との接触によって損傷するケースも同時に解消できた。更に、この発明は自転車群による駐車が整然と並ぶことで、周辺の美観が損なわれることがなく、かつ空車の場所を探し易い一面も兼ね備えている。
【発明を実施するための最良の形態】
【０００６】  この発明は、自転車駐輪場の床面に並列したサイドバーの間に自転車を進入させると、前輪が傾斜のある段差の上面から下面に誘導されて、フェンスを兼ねたタイヤ止めで停止する仕組みである。その前輪が停止したことによって、自転車本体が定位置に駐車したことになるのである。更に、当該サイドバーは高さを約７０センチメートルの一本の支柱にして、その最上部には出っ張り部となる横幅が約２０センチメートル、縦幅が約１５センチメートルにした形を組み入れることによって、一層割り込み駐車を阻止できるようにした。
【実施例】
【０００７】  段差については、高さを約８センチメートルに設定すると共に、角度は直角にしないで概ね４５度の傾斜を持たせることで、自転車の出し入れに無理な力を必要としないようにした。【０００８】  タイヤ止めは管状の鋼材でフェンスを兼ねたものとし、その高さを約７０センチメートルと低くすることで、檻のイメージを払拭した。【０００９】  サイドバーについては、同バーの支柱から約６０センチメートル間隔の並列によって各々一台分のスペースを確保し、定位置に駐車した２６２７一般的自転車を想定して、後輪の軸部分よりも少し前方に設置した。
なお、同バーは多少低い構造であるが、人が触れても優しい管状の鋼材を使用することで、手すりとしても併用できるものにした。なおかつ、自転車所有者が防犯のために使用するワイヤー錠の留め具としても活用できるものである。【００１０】  この発明の応用は、バイク類であっても本件の自転車の場合と同様に可能である。
【産業上の利用可能性】
【００１１】
【図面の簡単な説明】
【００１２】
【図１】自転車駐輪場の実施形態を示す正面図である。
【図２】自転車駐輪場の側面からの断面図である。
【符号の説明】
【００１３】    １  前輪
２  段差
３  タイヤ止め
４  サイドバー
【図１】
2008068850.tif 000003
【図２】
2008068850.tif 000004
(57)【要約】      （修正有）【課題】家電製品の待機電力を確実に低減する。【解決手段】ａ接点継電器とｂ接点継電器を使用した電子回路を製作する。紫外線用のフォトダイオードと赤外線用のフォトダイオード、紫外線用のＬＥＤと赤外線用のＬＥＤを送信機側に使用する。それをコンセントとプラグの間につなげる。受光部は露出する。電源はリチウム電池と太陽電池を組み合わせる。【選択図】図１
2008182654.tif 000002
【特許請求の範囲】
【請求項１】
家庭用電気製品の待機電力をカット
【請求項２】
家庭用電気製品のコンセント一つにつき一つ単位で使う。
【発明の詳細な説明】
【技術分野】（注）見出しの横には何も記載しないで下さい。【０００１】（注）段落番号の横には何も記載しないで下さい。
本発明は家電製品の待機電力による無駄な消費電力を確実に減らすための工夫である。
【背景技術】
【０００２】
【特許文献１】未確認
【非特許文献１】株式会社タイムリー、リモコンコンセント  フカダック  ＮＴＴ西日本、Ｆ２−Ｒ２
【発明の開示】
【発明が解決しようとする課題】
【０００３】電源をＯＮにするときは普通にコンセントにプラグを差込み、電源を切るときが特に問題なのでプラグをさした状態でも、リモコンで気軽に電源を完全にカットする。
【課題を解決するための手段】
【０００４】リモコン側はキーホルダータイプでお出かけ間際でも気軽にカット。
テレビリモコンと同じ赤外線を発信するとＯＦＦになる。ＯＮ機能は紫外線を発信するとＯＮになる。。
【発明の効果】
【０００５】現在の製品には、手どうスィッチ式のものがあるが、これを使えばホームページ上からの遠隔操作の実用可能性がある。
【発明を実施するための最良の形態】
【０００６】特殊な継電器とフォトダイオードとスプリングを使用した電子回路を製作する。
紫外線用のフォトダイオードと赤外線用のフォトダイオード、紫外線用のＬＥＤと赤外線用のＬＥＤを送信機側に使用する。
【実施例】
【０００７】それをコンセントとプラグの間につなげる。受光部は露出する。電源はリチウム電池と太陽電池の組み合わせがベスト。
【産業上の利用可能性】
【０００８】安いコストで作り、安く販売できる。いずれはこれを応用したパソコン周辺機器とｈｔｔｐページを組み合わせて出先からエアコンの温度調節が可能になる。
【図面の簡単な説明】
【０００９】
【図１】受信側回路図
【００１０】
【図２】送信側回路図
【符号の説明】
１  紫外線フォトダイオード
２  赤外線フォトダイオード
３  スプリング
４  電磁石
５  電源部（リチウム電池と太陽電池を並列つなぎ）
６  スイッチ
７  紫外線ＬＥＤ
８  赤外線ＬＥＤ
９  紫外線用押しボタンスイッチ
１０  赤外線用押しボタンスイッチ
【図１】
2008182654.tif 000003
【図２】
2008182654.tif 000004
【手続補正書】
【提出日】平成19年2月18日(2007.2.18)
【手続補正１】
【補正対象書類名】明細書
【補正対象項目名】全文
【補正方法】変更
【補正の内容】
【発明の詳細な説明】
【技術分野】
【０００１】本発明は家電製品の待機電力による無駄な消費電力を確実に減らすための工夫である。
【背景技術】
【０００２】
【特許文献１】未確認
【非特許文献１】株式会社タイムリー、リモコンコンセント  フカダック  ＮＴＴ西日本、Ｆ２−Ｒ２
【発明の開示】
【発明が解決しようとする課題】
【０００３】電源をＯＮにするときは普通にコンセントにプラグを差込み、電源を切るときが特に問題なのでプラグをさした状態でも、リモコンで気軽に電源を完全にカットする。
【課題を解決するための手段】
【０００４】リモコン側はキーホルダータイプでお出かけ間際でも気軽にカット。
テレビリモコンと同じ赤外線を発信するとＯＦＦになる。ＯＮ機能は紫外線を発信するとＯＮになる。。
【発明の効果】
【０００５】現在の製品には、手どうスィッチ式のものがあるが、これを使えばホームページ上からの遠隔操作の実用可能性がある。
【発明を実施するための最良の形態】
【０００６】ａ接点継電器とｂ接点継電器を使用した電子回路を製作する。
紫外線用のフォトダイオードと赤外線用のフォトダイオード、紫外線用のＬＥＤと赤外線用のＬＥＤを送信機側に使用する。
【実施例】
【０００７】それをコンセントとプラグの間につなげる。受光部は露出する。電源はリチウム電池と太陽電池の組み合わせがベスト。
【産業上の利用可能性】
【０００８】安いコストで作り、安く販売できる。いずれはこれを応用したパソコン周辺機器とｈｔｔｐページを組み合わせて出先からエアコンの温度調節が可能になる。
【図面の簡単な説明】
【０００９】
【図１】受信側回路図
【図２】送信側回路図
【符号の説明】
【００１０】  １  紫外線フォトダイオード
２  赤外線フォトダイオード
３  ａ接点リレー
４  ｂ接点リレー
５  サイリスタ
６  電源
７  紫外線ＬＥＤ
８  赤外線ＬＥＤ
９  紫外線用押しボタンスィッチ
１０  赤外線用押しボタンスィッチ
【手続補正２】
【補正対象書類名】図面
【補正対象項目名】図１
【補正方法】変更
【補正の内容】
【図１】
2008182654.tif 000005
(57)【要約】【課題】カーボン電極にリード線を安価に、かつ、強固に接続する接続端子を提供する。【解決手段】リード線２２との接続のための端子部１２とカーボン電極１８を保持しそれと接続するためのソケットコンタクト部１４を一体に有している。カーボン電極１８をソケットコンタクト部１４に挿入して板バネ１４により保持した状態（（ｂ）欄）で、カーボン電極１８の端面２０と端子部１２とによりカップ端子が形成され、リード線２２をカーボン電極１８に直接接触させた状態で強固にハンダ付けすることができる。【選択図】図２
2008210673.tif 000002
【特許請求の範囲】
【請求項１】
リード線をハンダ付けするためのハンダ付け端子部と、
該ハンダ付け端子部と一体に形成され、リード線と接続されるべき棒状体の端部を受け入れて弾性的に把持するソケットコンタクト部とを具備し、
前記ソケットコンタクト部が棒状体の端部を受け入れたとき、棒状体の端面が前記ハンダ付け端子部とともにカップ端子を形成する接続端子。
【発明の詳細な説明】
【技術分野】
【０００１】
本発明はカーボン電極のようなリード線との接続が難しい材質からなる棒状体にリード線を接続するための接続端子に関する。
【背景技術】
【０００２】
カーボンは電極として広く用いられているが、カーボンのような非金属体ではリード線を直接ハンダ付けすることが難しいか不可能である。そこでカーボンの表面にニッケルなどの金属をメッキし、その部分にリード線をハンダ付けし、腐食防止のため周囲をエポキシ樹脂などの樹脂で固めることが、従来、行なわれている。
【０００３】
しかしながら、メッキ処理はコストが高い、という問題がある。また、接続部分を覆う樹脂とカーボンとでは熱膨張率に差があるため、熱膨張と収縮が繰り返されると樹脂がカーボンから離脱し、それと共にハンダ付けが引き剥がされる、すなわち、引き剥がし強度が小さいという問題もある。
【発明の開示】
【発明が解決しようとする課題】
【０００４】
したがって本発明の目的は、カーボン電極のようなハンダ付けが難しい材質からなる棒状体にリード線を、安価に、かつ、強固に接続することのできる接続端子を提供することにある。
【課題を解決するための手段】
【０００５】
本発明によれば、リード線をハンダ付けするためのハンダ付け端子部と、該ハンダ付け端子部と一体に形成され、リード線と接続されるべき棒状体の端部を受け入れて弾性的に把持するソケットコンタクト部とを具備し、前記ソケットコンタクト部が棒状体の端部を受け入れたとき、棒状体の端面が前記ハンダ付け端子部とともにカップ端子を形成する接続端子が提供される。
【０００６】
ソケットコンタクトにピンコンタクトを挿入するときのようにソケットコンタクト部に棒状体を挿入すると、その端面とハンダ付け端子部とによりカップ端子が形成される。したがって、このカップ端子にリード線をハンダ付けすることにより、周囲をエポキシ樹脂で固めたとしても、エポキシ樹脂の離脱とともにハンダ付けが引きはがされることなく、強固に接合することができる。また、リード線の端部をカーボン電極などの棒状体に直接当接させた状態でハンダ付けすることができるのでリード線と電極を直接接触させた状態で接続することができる。
【発明を実施するための最良の形態】
【０００７】
図１は本発明の一実施例に係る、カーボン電極にリード線を接続するための接続端子の斜視図である。
【０００８】
図１に示した接続端子１０は、リード線との接続のための端子部１２と、カーボン電極との接続のためのソケットコンタクト部１４とを一体に有している。材質は例えばリン青銅などの金属である。
【０００９】
ソケットコンタクト部１４は内側に湾曲した４枚の板バネ１６を有する。図２の（ａ）欄に示すように、矢印Ａの方向から円柱形のカーボン電極１８を挿入すると、（ｂ）欄に示すように、板バネ１６が押し広げられ、すり合せ接触により、ソケットコンタクト部１４とカーボン電極１８が接続される。
【００１０】
このとき、カーボン電極１８の端面２０と端子部１２の円筒とにより、カップ端子が形成される。このカップ内に、（ｃ）欄に示すように、リード線２２を挿入し、溶融ハンダを供給することによって、リード線２２をカップ端子方式によりハンダ付けすることができる。
【００１１】
図３の断面図に示すように、リード線２２をカーボン電極１８の端面２２に当接させた状態でハンダ付けすることができるので、リード線２２とカーボン電極１８とを直接接触した状態で強固に接続することができる。また、カップ端子方式によるハンダ付けであるので、板バネ１６の外側面にハンダ付けした場合と比べても、引き剥がし強度が強い。
【図面の簡単な説明】
【００１２】
【図１】本発明の一実施例に係る接続端子の斜視図である。
【図２】接続の手順を示す図である。
【図３】接続した状態における断面図である。
【図１】
2008210673.tif 000003
【図２】
2008210673.tif 000004
【図３】
2008210673.tif 000005
(57)【要約】      （修正有）【課題】帯電したメディアがピックアップやヘッドの電磁制御動作を狂わせ、デジタルデータのエラーレートやジッターの上昇を招くのを防止する。【解決手段】回転される板状メディア１と、この板状メディア１の上下面の少なくとも一方の面に直接または微小間隙を介して対接せしめた接地良導電体４とを有する。また、回転される板状メディアの外周面に微小間隙を介して対向配置せしめた接地電極ピンとを有する。【選択図】図１
2008210449.tif 000002
【特許請求の範囲】
【請求項１】
回転される板状メディアと、この板状メディアの上下面の少なくとも一方の面の少なくとも一部に微小間隙を介して対向配置せしめた接地導電体とを有することを特徴とする帯電除去機能を有する光学式記録再生装置。
【請求項２】
回転される板状メディアと、この板状メディアの外周面に微小間隙を介して対向配置せしめた接地電極ピンとを有することを特徴とする帯電除去機能を有する光学式記録再生装置。
【請求項３】
回転される板状メディアと、この板状メディアの上下面の何れか一方の面に対接せしめた接地良導電体とを有することを特徴とする帯電除去機能を有する光学式記録再生装置。
【発明の詳細な説明】
【技術分野】
【０００１】
本発明は光学的記録再生装置、特に、帯電除去機能を有する光学式記録再生装置に関するものである。
【背景技術】
【０００２】
映像、音声、デジタルデータなどの光学式記録再生装置は既知である。
【発明の開示】
【発明が解決しようとする課題】
【０００３】
現在光学式記録再生装置に使用されているメディア（ＣＤ，ＭＤ，ＤＶＤ，ＭＯなど）は、ポリカーボネートなどの樹脂製が主流となっている。これらのメディアは低湿度状態の環境下に置かれると静電気などが帯電する。
【０００４】
本発明者は種々実験、研究の結果メディアを帯電した状態のまま記録再生装置に装填し、通常の記録再生装置で記録再生をすると、記録及び再生用レーザーピックアップにメディアの帯電と装置内部の電子部品から発生する高周波ノイズや電磁波ノイズなどとの相互作用により、電界や磁界が発生し、更に信号読み取り動作のためにメディアが回転するので、メディアとレーザーピックアップ及び記録用ヘッドの間の電界や磁界が乱れ、これにより、ピックアップやヘッドの電磁制御動作を狂わせ、デジタルデータのエラーレートやジッターの上昇を招き、デジタルデータの良好な記録再生の妨げとなること、よって、音声記録であれば、音質悪化、映像記録であれば画質劣化、デジタルデータの記録であれば、正確なデータの記録再生に支障を来してしまうことを見出した。
【０００５】
本発明はかかる知見に基づいてなされたものである。
【課題を解決するための手段】
【０００６】
本発明の帯電除去機能を有する光学式記録再生装置は、回転される板状メディアと、この板状メディアの上下面の少なくとも一方の面の少なくとも一部に微小間隙を介して対向配置せしめた接地導電体とを有することを特徴とする。
【０００７】
また、本発明の帯電除去機能を有する光学式記録再生装置は、回転される板状メディアと、この板状メディアの外周面に微小間隙を介して対向配置せしめた接地電極ピンとを有することを特徴とする。
【０００８】
また、本発明の帯電除去機能を有する光学式記録再生装置は、回転される板状メディアと、この板状メディアの上下面の何れか一方の面に対接せしめた接地良導電体とを有することを特徴とする。
【発明の効果】
【０００９】
本発明の帯電除去機能を有する光学式記録再生装置によれば、メディアに生じた帯電を除去でき、レーザーピックアップの誤動作を防止し、デジタルデータのエラーレートやジッターを低減させることが可能となり、良好なデジタルデータ、映像音声データの記録再生を可能とすることができる。
【発明を実施するための最良の形態】
【００１０】
以下図面によって本発明の実施例を説明する。
【実施例１】
【００１１】
図１において１はＣＤ等の板状メディア、２はこの板状メディア１を保持するチャッキングプレート、３は板状メディア１を回転駆動するモーターを示し、本発明においては上記板状メディアの上下面の少なくとも一方の面の少なくとも一部に微小間隙を介して銅板、銀板等の良導電体４を対向配置し、この導電体４を接地せしめる。
【００１２】
本発明の帯電除去機能を有する光学式記録再生装置は上記のような構成であるからメディア１に生じた帯電、従ってこれに基づく電界や磁界が除去され、レーザーピックアップの誤動作を防止し、デジタルデータのエラーレートやジッターを低減させることが可能となり、良好なデジタルデータ、映像音声データの記録再生を可能とすることが確認された。更に映像データであれば、良好な画質、音声データであれば良好な音質が得られるようになることが確認された。
【実施例２】
【００１３】
本発明の他の実施例においては図２に示すようにメディア１の外周面にこれより微小間隙離して電極ピン５の先端を対向配置し、この電極ピン５を接地せしめる。
【００１４】
この実施例によっても上記実施例１と同様の効果が得られる。なお、更に光学式記録再生装置の電気回路にアースを取ることや、メディア１を載せるチャッキングプレート２を導電性金属とし、モーター３のセンターシャフトを介して電気的に接地させることがより好ましい。
【実施例３】
【００１５】
本発明の更に他の実施例においては図３に示すようにターンテーブル６によって支承され、回転されるメディア１の下面に銅板や銀板等の板状良導電体７を対接し、この板状７の例えば外周面に例えば接地された金属ワイヤ（図示せず）をスリップ自在に対接せしめる。
【００１６】
この実施例によっても上記実施例１と同様の効果が得られる。
【図面の簡単な説明】
【００１７】
【図１】本発明の帯電除去機能を有する光学式記録再生装置の説明図である。
【図２】本発明の他の実施例説明図である。
【図３】本発明の他の実施例説明図である。
【符号の説明】
【００１８】
１  メディア
２  チャッキングプレート
３  モーター
４  導電体
５  電極ピン
６  ターンテーブル
７  板状良導電体
【図１】
2008210449.tif 000003
【図２】
2008210449.tif 000004
【図３】
2008210449.tif 000005
(57)【要約】【課題】  座席管理を低コストで行うようにする。【解決手段】  車両入口に設けられたタッチパネル付乗車券読み取り装置（１）と、各座席に設けられたランプを点灯制御する制御装置（４）とを備え、読み取り装置は、乗車券の読み取りで指定料金が入っていることを条件にタッチパネルに空席情報を表示し、前記制御装置は、タッチパネルで指定された座席のランプを点灯する。【選択図】        図１
2008210215.tif 000002
【特許請求の範囲】
【請求項１】
車両入口に設けられたタッチパネル付乗車券読み取り装置と、
各座席に設けられたランプを点灯制御する制御装置とを備え、
前記読み取り装置は、乗車券の読み取りで指定料金が入っていることを条件にタッチパネルに空席情報を表示し、前記制御装置は、タッチパネルで指定された座席のランプを点灯することを特徴とする座席管理システム。
【請求項２】
列車にＧＰＳ装置が配置され、前記読み取り装置は利用座席の乗車券の区間情報とＧＰＳ装置で検出された列車位置情報とを比較して区間判定することを特徴とする請求項１記載の座席管理システム。
【発明の詳細な説明】
【技術分野】
【０００１】
本発明は、車両入口に設けられた乗車券読み取り装置で座席の管理を行うようにしたシステムに関する。
【背景技術】
【０００２】
非接触ＩＣカードで指定料金を購入し、座席に設置されたリーダ／ライタで非接触ＩＣカードに格納された指定料金情報を読み取って確認し、座席のランプを点灯するとともに、各リーダ／ライタの情報を一括管理するようにした座席利用状況管理システムについて本出願人は既に提案している（特許文献１）。
【特許文献１】特願２００４−２５９８６８
【発明の開示】
【発明が解決しようとする課題】
【０００３】
上記特許文献１のシステムは、人手による車内改札が不必要になり、座席の利用状況が正確に把握できる利点はあるが、各座席にリーダ／ライタを設置する必要があるためリーダ／ライタの台数が多く、コストがかかってしまうという問題があった。
【課題を解決するための手段】
【０００４】
本発明は上記課題を解決しようとするもので、座席管理を低コストで行うようにすることを目的とする。
そのために本発明は、車両入口に設けられたタッチパネル付乗車券読み取り装置と、各座席に設けられたランプを点灯制御する制御装置とを備え、前記読み取り装置は、乗車券の読み取りで指定料金が入っていることを条件にタッチパネルに空席情報を表示し、前記制御装置は、タッチパネルで指定された座席のランプを点灯することを特徴とする。
また、本発明は、列車にＧＰＳ装置が配置され、前記読み取り装置は利用座席の乗車券の区間情報とＧＰＳ装置で検出された列車位置情報とを比較して区間判定することを特徴とする。
【発明の効果】
【０００５】
本発明は、車両入口に設置したタッチパネル付読取装置で乗車券情報を読み取り、指定料金が入っていることを条件にタッチパネルに空席情報を表示し、タッチパネルで指定された座席のランプを点灯することで、車両入口に設置した読取装置のみでその車両の座席管理を行うことが可能となる。
【発明を実施するための最良の形態】
【０００６】
以下、本発明の実施の形態について説明する。
図１は車両入口に設置された読み取り装置で座席管理するシステムの例を説明する概念図である。
１は読み取り装置で指定席車両等の特定の車両の入口に設置され、乗車券の情報を読み取る装置である。この読み取り装置１にはタッチパネル２、プリンタ３が設けられている。４は座席ランプの点灯を制御する制御装置であり、車両内の各座席（図示の例では座席１〜１２）に設けられているランプを個別に点灯制御する。乗車券５は、例えば、駅に設置された券売機で非接触ＩＣカード等にデータを書き込む形で購入したもので、読み取り装置１で読み取り可能なものである。ＧＰＳ（Global Positioning System ）１０は列車の所定位置に設置されて列車の位置情報を取得するもので、取得した位置情報は読み取り装置１に転送されるようになっている。
【０００７】
次に、本システムの作用について説明する。
乗客が特定車両の入口に設置された読み取り装置１に乗車券５をセットすると、読み取り装置１では乗車区間、料金等のデータを読み取り、特定車両の指定料金が含まれているか否かチェックする。指定料金が含まれている場合、タッチパネル２に空席情報が表示される。乗客が表示された空席情報の中から所定の座席をタッチパネル上で指定すると、指定された座席情報が読み取り装置１を介して制御装置４に転送され、制御装置４は指定座席のランプを点灯する。同時に読み取り装置１からプリンタ３を通して指定座席番号票がプリントアウトされるので、乗客はこの指定座席番号票をもって、該当する座席に着席することになる。
【０００８】
このように、読み取り装置１は座席利用情報をもつことになるので、これにより座席管理を行うことができ、指定料金で利用する席の確認は、ランプが消灯された席のみで済むため、車掌業務の省力化を図ることができ、また、ランプが点灯していない席には座りにくい心理が働き、無賃乗車の抑止効果が得られる。なお、読み取り装置１が複数の車両に設置される場合には、各読み取り装置を車掌室のパソコンと接続することで車掌室で一括管理することができ、また、このパソコンと車掌が保持する端末とを接続することで、車掌が常時座席の利用状態を把握することができる。
【０００９】
ＧＰＳ１０は線路上を移動する列車位置の情報を時々刻々取得しており、取得した位置情報は読み取り装置１に転送される。読み取り装置１２では利用座席の乗客の乗車区間情報を保持しているので、各座席について乗車が有効か否かの区間判定を行い、有効乗車区間を過ぎた乗客の座席に対しては、制御装置４はそのランプを消灯する。この消灯により乗客、或いは車掌は有効区間を過ぎたことを知ることができる。
【００１０】
なお、特定車両が指定席車両の場合、その情報はあらかじめ駅券売機に入力するようにし、そのため指定券は当該車両の座席数しか券売されないので、読み取り装置１では必ず空席情報が表示される。また、特定車両が指定席車両ではない場合は、満席になったときは空席情報は表示されない。
【産業上の利用可能性】
【００１１】
本発明によれば、車内改札をせずに正当な乗車券で座席が利用されているか否かが一目で確認できるとともに、車両入口の読み取り装置で座席の利用状況が正確に把握できるのでコストを低減化でき産業上の利用価値は極めて大きい。
【図面の簡単な説明】
【００１２】
【図１】座席管理システムの例を説明する概念図である。
【符号の説明】
【００１３】
１…読み取り装置、２…タッチ式表示パネル、３…プリンタ、４…制御装置、５…乗車券、１０…ＧＰＳ。
【図１】
2008210215.tif 000003